(57)【特許請求の範囲】
【請求項１】
先筒及びその貫通穴内に軸方向に摺動自在に挿入された芯チャックを有するカートリッジと、
前記先筒に対しその後側から軸周りで相対回転可能に嵌合し、筒形状を有しその内周面に雌ねじ部を有する容器本体と、
前記芯チャックを押し出す棒状部及び前記雌ねじ部と螺合する雄ねじ部を有し、前記相対回転によって該容器本体内を軸方向に移動して該芯チャックを前記先筒の先端に向けて繰り出し又は引き込むことを可能とする押出棒と、
前記先筒の後端部に対し軸周りで回転不能に係合し、前記容器本体内にあって筒形状を有しその貫通穴内に棒状部を挿通させて軸方向に摺動自在に案内する案内部材とを備えたカートリッジ式棒状繰出容器において、
前記押出棒は、筒形状を有しその外周面に前記雄ねじ部を設けた筒部と、この筒部の内側で前記棒状部を軸芯として当該棒状部及び当該筒部を連結するリブとを有しており、
前記案内部材は、貫通穴が設けられた筒形状を有する部分と、この筒形状を有する部分の外周面に軸方向に沿って設けられた溝穴とを有しており、
前記押出棒は、前記リブを前記溝穴内に摺動可能に介挿され、かつ、前記筒部内に前記案内部材の前記筒形状を有する部分を挿入されることにより、前記案内部材に対し回転不能に係合されていることを特徴とするカートリッジ式棒状繰出容器。
【請求項２】
前記案内部材は、前記筒形状を有する部分の外周面に設けられた環状凸部を有しており、
この環状凸部及び前記筒部の間には、前記押出棒を引き込む側に付勢する圧縮コイルバネが介挿されていることを特徴とする請求項１に記載のカートリッジ式棒状繰出容器。
【発明の詳細な説明】
【０００１】
【発明の属する技術分野】
本発明は、棒状芯材を芯チャックに保持し、この芯チャックを先筒と称する筒体に組み込んでカートリッジに形成し、このカートリッジを容器本体に相対回転可能に嵌合して組み込み、カートリッジと容器本体とを相対回転させることによって、押出棒を軸方向に移動させて芯チャックおよび棒状芯材を繰り出すようにしたカートリッジ式棒状繰出容器に関し、特に棒状芯材にアイライナー、アイブロウ、リップライナー、アイシャドウなどの棒状化粧料を用いてカートリッジ式棒状化粧料繰出容器に好適に利用できるものである。
【０００２】
【従来の技術】
アイライナー、アイブロウ、リップライナー、アイシャドウなどの棒状化粧料を芯チャックに取り付け、さらに芯チャックを先筒内に組み込んでカートリッジに形成し、このカートリッジを容器本体に相対回転可能に組み込んでカートリッジ式棒状繰出容器としたものがある。かかるカートリッジ式棒状繰出容器は、カートリッジと容器本体とを相対回転させることによって、容器本体内の押出棒を軸方向に移動させて芯チャックおよび棒状化粧料を繰り出すようにしたものであり、種々のカートリッジ式棒状繰出容器が提案されている。
【０００３】
例えば、本出願人は特開平９−７０３１７号公報のカートリッジ式繰出容器を提案している。このカートリッジ式繰出容器は、容器本体内に押出棒を挿通して案内する案内部材を設け、この案内部材は先筒の後部と回転不能でかつ軸方向に移動可能に結合すると共に、案内部材には先筒の後端縁と当接する当接部が設けられ、さらに案内部材と係止部材との間に弾性体を介装し、先筒の容器本体への組み込み時に、先筒の後端縁に案内部材の当接部が当接して案内部材を軸方向へ移動させて弾性体を圧縮可能としたことを特徴とするものである。
【０００４】
上記構成により、特開平９−７０３１７号公報のカートリッジ式繰出容器は、カートリッジを容器本体に組み込んだ際、案内部材の当接部と容器本体に設けた係止部材との間に介装された弾性体を案内部材の軸方向移動に伴って圧縮可能とする。そして、弾性体に加わる圧縮作用による抗力が先筒にかかり、さらに容器本体に作用して芯チャックを繰り出した時にがたつきがなく安定した作動抵抗が得られるようにしたものである。
【０００５】
【発明が解決しようとする課題】
ところで、従来の押出棒は、長手方向にスプライン溝を設けたスプライン軸形状であって、一部外周面に雄ねじ部を有するように形成されている。そして、従来の押出棒は、容器本体の内部に組み込まれると、雄ねじ部が容器本体内面に螺設された雌ねじ部と螺合する一方で、スプライン溝が先筒の後端にスプライン係合する。従って、容器本体とカートリッジとが相対回転すると、カートリッジの回転がスプライン係合により押出棒に伝達され、押出棒の雄ねじ部が容器本体内面の雌ねじ部と螺合して容器本体内を軸方向に移動して芯チャックを先筒の外方へ押し出し、棒状化粧料を繰り出す。
【０００６】
このように、従来の押出棒は、容器本体内を軸方向に移動して芯チャックを押圧するという機能と、カートリッジの後端と回転不能かつ軸方向摺動自在に係合（スプライン係合）するという機能を合わせ持った形態としてスプライン軸形状となっているのである。
【０００７】
しかし、カートリッジ式棒状繰出容器の押出棒は細くて長尺であるため、押出棒が螺合時のねじりモーメントに耐えられず折れてしまうといった強度の問題や、スプライン溝の凹凸が摩耗すると、スプライン係合が不完全となり、カートリッジの回転が押出棒に確実に伝わらないといった問題が生じ、繰り出し動作が出来なくなることがあった。特に、カートリッジ式棒状繰出容器の細径化を考えた場合、繰り出し動作の不具合が顕著に現れることが予想される。
【０００８】
本発明は、前記課題に鑑みて創案されたものであり、容器本体とカートリッジとを相対回転しても、押出棒が折れることなく、カートリッジ後端の回転が押出棒に確実に伝達できるカートリッジ式棒状繰出容器を提供することを技術的課題とする。
【０００９】
【課題を解決するための手段】
本発明は、前記課題を解決するために、以下の手段を採用した。本発明のカートリッジ式棒状繰出容器は、先筒及びその貫通穴内に軸方向に摺動自在に挿入された芯チャックを有するカートリッジと、先筒に対しその後側から軸周りで相対回転可能に嵌合し、筒形状を有しその内周面に雌ねじ部を有する容器本体と、芯チャックを押し出す棒状部及び雌ねじ部と螺合する雄ねじ部を有し、相対回転によって容器本体内を軸方向に移動して芯チャックを先筒の先端に向けて繰り出し又は引き込むことを可能とする押出棒と、先筒の後端部に対し軸周りで回転不能に係合し、容器本体内にあって筒形状を有しその貫通穴内に棒状部を挿通させて軸方向に摺動自在に案内する案内部材とを備えたカートリッジ式棒状繰出容器において、押出棒は、筒形状を有しその外周面に雄ねじ部を設けた筒部と、この筒部の内側で棒状部を軸芯として棒状部及び筒部を連結するリブとを有しており、案内部材は、貫通穴が設けられた筒形状を有する部分と、この筒形状を有する部分の外周面に軸方向に沿って設けられた溝穴とを有しており、押出棒は、リブを溝穴内に摺動可能に介挿され、かつ、筒部内に案内部材の筒形状を有する部分を挿入されることにより、案内部材に対し回転不能に係合されていることを特徴としている。
【００１０】
この構成によれば、カートリッジを容器本体に組み込んだ時、案内部材が先筒の後端部に対し軸周りで回転不能かつ軸方向に移動可能に係合する。そして、容器本体とカートリッジが相対回転すると、カートリッジ後端部の回転が案内部材に伝達され、続いて案内部材の回転が溝穴に介挿されたリブを介して押出棒に伝達される。その結果、リブの外側に位置する筒部の外周面に設けられた雄ねじ部を介して容器本体と螺合する押出棒は、かかる相対回転によって繰出されることによりカートリッジ内部の芯チャックおよび化粧料を先端に向けて繰り出す。すなわち、一方では案内部材が押出棒のリブに係る箇所において押出棒に対し回転を伝達し、他方では容器本体が押出棒の雄ねじ子部に係る箇所において螺合により押出棒を繰り出すこととしているところ、リブ及び雄ねじ子部は、筒部を介してそれぞれ内側及び外側に位置しているので、棒状部にねじりモーメントがかからないから棒状部が折れることはない。また、案内部材が押出棒に対し回転を伝達すると同時に押出棒は案内部材に対し回転反力を作用させることとなるところ、押出棒から案内部材の筒形状を有する部分への回転反力の作用点となるリブに係る箇所の外側に筒部が位置しているので、この筒部が当該作用に起因する当該筒形状を有する部分の変形に対して歯止めとなり、当該筒形状を有する部分に過大な変形を生じさせないから案内部材の回転は押出棒に確実に伝達できる。
【００１１】
また、本発明のカートリッジ式棒状繰出容器は、案内部材が、筒形状を有する部分の外周面に設けられた環状凸部を有しており、この環状凸部及び筒部の間には、押出棒を引き込む側に付勢する圧縮コイルバネが介挿されているものも例示できる。
【００１２】
更に、本発明のカートリッジ式棒状繰出容器は、前記案内部材が前記先筒の後端と当接する当接部を有すると共に前記案内部材が前記容器本体内に設けられた係止部を介して遊嵌され、この係止部と前記案内部材との間に前記案内部材を前記繰り出し側に付勢する弾性体が介挿されており、前記カートリッジと前記容器本体とを嵌合することにより、前記先筒の後端と前記当接部が当接して前記案内部材が前記引き込む側に移動し、前記弾性体の付勢により前記カートリッジと前記容器本体の回転抵抗が発生する構成にしたものも例示できる。
【００１３】
【発明の実施の形態】
以下、本発明の一実施の形態に係るカートリッジ式棒状繰出容器を図１〜図５に基づいて詳細に説明する。なお、この実施の形態ではカートリッジ内に棒状化粧料（アイライナー）を収納し、カートリッジと容器本体との相対回転により、棒状化粧料を繰り出すカートリッジ式棒状化粧料繰出容器として説明する。
【００１４】
［カートリッジ式棒状化粧料繰出容器の構造］
カートリッジ式棒状化粧料繰出容器は、図１および図５に示すように、その全体形状が筆記具の如き細長い棒状をしたものである。カートリッジ式棒状化粧料繰出容器は、先筒２内に棒状化粧料（アイライナー）Ｍを保持する芯チャック３を含むカートリッジ１０と、このカートリッジ１０が回転可能に組み込まれる容器本体２０と、容器本体２０の内部に組み込まれかつ芯チャック３を繰り出すのに用いる押出棒２４と、先筒２の後端と回転不能でかつ軸方向に移動可能に結合すると共に押出棒２４を挿通して軸方向に摺動自在に案内する案内部材２５などの部材から構成される。
【００１５】
［先筒２］
先筒２は図１および図２に示すように、大径部２ａと小径部２ｂとを有し、大径部２ａはその横断面が円形をし、かつ先端に向けて次第に細くなる先細り形状をしている。また、小径部２ｂは大径部２ａの後端に連続する円筒部のことであって、この小径部２ｂの外周面のうち後端よりの箇所には、小径部２ｂの周方向に巡らせた周溝部２ｃを形成してある。
【００１６】
また、先筒２はその長手方向に芯チャック３を収納し、かつ押出棒２４が通る貫通穴２ｄを大径部２ａと小径部２ｂとを通じて有する。この貫通穴２ｄはその先端および後端の一定距離を除き、長手方向に沿って相互に対向する一対の長溝２ｅを有する。そして、貫通穴２ｄの後端には貫通穴２ｄより大径の後端穴部を有し、この後端穴部に尾栓４を挿入することによって貫通穴２ｄの後端開口は塞がれる。
【００１７】
尾栓４は一端に鍔部４ｂを設けた円筒軸部４ａで形成され、円筒軸部４ａが貫通穴２ｄの後端穴部に挿入されて先筒２の後端開口を塞いでいる。また、円筒軸部４ａは、案内部材２５の結合部２５ｃおよび押出棒２４が通る貫通穴４ｃを有する。この貫通穴４ｃは軸方向に延びる多数のスプライン溝４ｄを周方向に等間隔で形成してある。このスプライン溝４ｄは、案内部材２５の結合部２５ｃとスプライン結合できるように、その大きさや長さを設定してある。更に、尾栓４と芯チャック３との間には芯チャック用引きバネ５１を取り付けてある。
【００１８】
［芯チャック３］
芯チャック３は、図１に示すように、棒状化粧料Ｍを把持する把持部３ａと、この把持部３ａの後端に連続し、かつ把持部３ａよりも小径円筒で押出棒２４と当接する当接部３ｂとからなる。
【００１９】
把持部３ａはその外周面に一対の突起３ｃを有する。この突起３ｃは先筒２の長溝２ｅに摺動自在に係合し、これにより先筒２の貫通穴２ｄに沿って芯チャック３を案内する。よって、先筒２の長溝２ｅは、芯チャック３を貫通穴２ｄに沿って案内する案内溝であり、芯チャック３の突起３ｃは案内片といえる。
【００２０】
芯チャック用引きバネ５１は一端に小径部５１ａを有し、他端に大径部５１ｂを有するコイルバネである。小径部５１ａと大径部５１ｂとを繋ぐ中間部分のコイル径は芯チャック３の当接部３ｂの外周面に巻回可能に形成されている。
【００２１】
芯チャック３の当接部３ｂにはその外面のうち把持部３ａ寄りの箇所に芯チャック用引きバネ５１の小径部５１ａを係止する節条部３ｄを有する。
芯チャック用引きバネ５１の大径部５１ｂは尾栓４で貫通穴２ｄの後端穴部を塞ぐときに尾栓４と小径部２ｂの内壁面との間で挟持される。芯チャック用引きバネ５１は、押出棒２４により芯チャック３が貫通穴２ｄを軸方向先端側に移動したときに、これを軸方向後端側へ向けて付勢して引き戻す。
【００２２】
以上、先筒２にこのような構成部材を備えてなるものがカートリッジ１０であり、カートリッジ１０の先端側には先筒２を覆う前端キャップ５が設けられている。
【００２３】
［容器本体２０］
容器本体２０は、図１に示すように、中空円筒形をしており、その中にカートリッジ１０の一部すなわち先筒２の小径部２ｂと、案内部材２５および押出棒２４の全部とを収納する。
【００２４】
また、容器本体２０の内面には、カートリッジ１０、案内部材２５および押出棒２４の容器本体２０への収納に先立って、カートリッジ１０に係わるライナ２１と案内部材２５および押出棒２４に係わるライナ２２とが嵌入されている。これらのライナ２１，２２は、ともに合成樹脂であって両端開口の円筒形をしており、容器本体２０内に嵌入後は容器本体２０に対し回転したり抜け出したりすることはない。
【００２５】
容器本体２０の後端には、保持部材３１に挟接された化粧料塗布具（スポンジでできたチップ）３２とこれを保護する後端キャップ３３とが設けられている。
［ライナ２１］
カートリッジ１０に係わるライナ２１は円筒形状を有し、後端より所定位置離れた内周面に凸状の周段部２１ａを設けている。この周段部２１ａは、カートリッジ１０を装着した時、先筒２の周溝部２ｃに係合する。
【００２６】
［ライナ２２］
押出棒２４に係わるライナ２２は円筒形状を有し、その内周面には先端部を除き雌ねじ状螺旋溝（雌ねじ部）２２ａが穿設してある。
【００２７】
ライナ２２の先端部は、図２に示すように、雌ねじ部２２ａより大径の大径穴２２ｂが形成されている。従って、雌ねじ部２２ａと大径穴２２ｂとの間には段差が生じており、この段差部の内周面には凸状の係止部２２ｃが形成されている。
【００２８】
そして、大径穴２２ｂには圧縮コイルバネ（請求項３の弾性体に相当）５２が装着されている。この圧縮コイルバネ５２は、大径穴２２ｂの段差により軸方向後端側への進行が阻止される。一方、その段差と反対側では当接する案内部材２５のフランジ部２５ｄによって圧縮される。
【００２９】
［案内部材２５］
案内部材２５は、図１に示すように、その中央に貫通穴２５ａを有し、この貫通穴２５ａに押出棒２４が挿入される筒状体である。貫通穴２５ａに押出棒２４を挿入した案内部材２５は、容器本体２０内で押出棒２４を軸方向に案内する。
【００３０】
案内部材２５は、図３に示すように、その先端から結合部２５ｃ、フランジ部（請求項３の当接部に相当）２５ｄ、中軸部２５ｅ、環状凸部（請求項２の係止部に相当）２５ｆ、小径軸部２５ｇの順で構成されている。
【００３１】
結合部２５ｃは先端に向けて長手方向に平行にスプライン溝を形成したスプライン軸となっている。そして、結合部２５ｃは、図１に示すように、尾栓４のスプライン溝４ｄとスプライン結合できるように、その大きさや長さを設定してある。
【００３２】
フランジ部２５ｄは結合部２５ｃに隣接して設けられ、その外径が圧縮コイルバネ５２の径より大径であって、ライナ２２に案内部材２５を装着したとき、フランジ部２５ｄが圧縮コイルバネ５２の一端側に向けられた状態で配置してある。このようにするのはフランジ部２５ｄで圧縮コイルバネ５２を受けるためである。
【００３３】
中軸部２５ｅは圧縮コイルバネ５２の径より小径であって、圧縮コイルバネ５２が巻回される。
環状凸部２５ｆは中軸部２５ｅの小径軸部２５ｇ寄りにあって、係止部２２ｃの内径よりやや大きな外径を有している。
【００３４】
小径軸部２５ｇは中軸部２５ｅより更に小径であって、押出棒用押しバネ５３が巻回される。
また、案内部材２５は図３に示すように、中軸部２５ｅ後端から小径軸部２５ｇにかけて軸方向に沿って１本の溝穴２５ｈを穿設している。
【００３５】
案内部材２５はライナ２２の貫通穴と係止部２２ｃを介して遊び状態で嵌合するようになっている。
［押出棒２４］
押出棒２４は、図４に示すように、棒状部２４ａとこの棒状部２４ａの後端に設けられた円筒部２４ｂとを有している。また、円筒部２４ｂは棒状部２４ａが円筒部２４ｂの中心になるように１本のリブ２４ｃで連結された形状で形成されている。なお、リブ２４ｃの幅は案内部材２５の溝穴２５ｈの幅よりやや小さめに形成され、押出棒２４を案内部材２５に挿通する際、溝穴２５ｈにリブ２４ｃを挿入させ、溝穴２５ｈをガイドとして押出棒２４を案内部材２５の軸移動可能とする（図１および図２参照）。
【００３６】
円筒部２４ｂは外周面にライナ２２内に形成した雌ねじ部２２ａに螺合する雄ねじ状の突起（雄ねじ部）２４ｄ，２４ｄを形成してある（図４参照）。そして、押出棒２４を案内部材２５に挿通するにあたり、案内部材２５の小径軸部２５ｇに押出棒用押しバネ（請求項２の圧縮コイルバネに相当）５３を外嵌状に介装し、押出棒２４の棒状部２４ａを案内部材２５に挿通することで円筒部２４ｂの側面２４ｅと案内部材２５の環状凸部２５ｆとの間に押出棒用押しバネ５３が位置するようになる。
【００３７】
この押出棒用押しバネ５３によって、押出棒２４は常時軸方向後端側（引き込み側）に付勢される。また、押出棒用押しバネ５３は圧縮コイルバネ５２よりも小径のコイルバネであって、案内部材２５の環状凸部２５ｆにその先端が保持され後端が押出棒２４の円筒部２４ｂの側面２４ｅに当接する。この時、押出棒２４が結合部２５ｃから突出する量は、芯チャック３の後端に押出棒２４の先端が当たる程度である。
【００３８】
［実施の形態の作用］
カートリッジ式棒状化粧料繰出容器において、図１に示すように、容器本体２０にカートリッジ１０を装着すると、圧縮コイルバネ５２の弾撥力によってフランジ部２５ｄがカートリッジ１０後端の尾栓４を押す。すると、尾栓４を介して先筒２が先端方向に付勢された状態となり、周溝部２ｃの一端に本体容器２０側の周段部２１ａが係合状態となるので、圧縮コイルバネ５２の付勢力は摩擦力となり、容器本体２０とカートリッジ１０との間で回転抵抗が発生する。すなわち、本体容器２０側のフランジ部２５ｄと周段部２１ａとの間に、カートリッジ１０側は周溝部２ｃより後端部分および尾栓４の鍔部４ｂが挟接される。この挟接によって容器本体２０とカートリッジ１０とを相対回転したときに、両者の間には作動抵抗が生じ、カートリッジ１０と容器本体２０との相対回転を阻止する。
【００３９】
容器本体２０にカートリッジ１０を嵌合した状態でこれらを相対回転すると、図５に示すように、容器本体２０に含まれている押出棒２４は、これが案内部材２５の溝穴２５ｈにリブ２４ｃを介挿されて回転不能に係合しており、案内部材２５の回転が押出棒２４に伝達される。そして、雄ねじ部２４ｄが雌ねじ部２２ａに螺合して回転し、押出棒２４は容器本体２０内を軸方向先端側に向けて移動し、この移動に伴って押出棒２４の先端が芯チャック３の当接部３ｂを芯チャック用引きバネ５１の付勢力に抗して押圧し、芯チャック３を軸方向先端側へ押し出すので、芯チャック３の棒状化粧料Ｍが先筒２の貫通穴２ｄから繰り出される。
【００４０】
次に、カートリッジ１０を容器本体２０から抜き取ると、図２に示すように、案内部材２５のフランジ部２５ｄにより圧縮コイルバネ５２にかかっていた押圧が解除され、案内部材２５は圧縮コイルバネ５２による付勢力により軸方向前端側に移動するが、環状凸部２５ｆがライナ２２の係止部２２ｃに当接することにより、案内部材２５のそれ以上の進行を阻止する。
【００４１】
同時に尾栓４と案内部材２５とのスプライン結合が解除されるので、案内部材２５は回転可能になる。そして、案内部材２５と押出棒２４とは回転不能かつ摺動可能に係合しており、押出棒２４には筒部２４ｂの側面２４ｅを介して軸方向後端側（引き込み側）に向けて押出棒用押しバネ５３による付勢力がかかっている。また、押出棒２４と容器本体２０とはライナ２２を介して螺合関係にある。従って、この押出棒用押しバネ５３による付勢力で、押出棒２４は案内部材２５とともに回転しつつ軸方向後端側に向けて初期位置に瞬時に戻る。
【００４２】
一方、カートリッジ１０を容器本体２０から抜くと、カートリッジ１０側では押出棒２４によって先筒２の貫通穴２ｄから軸方向先端側に押しやられていた芯チャック３が、芯チャック用引きバネ５１の付勢力によって軸方向後端側に引き戻される。よって、芯チャック３に保持された棒状化粧料Ｍは先筒２内に自動的に収納される。
【００４３】
この実施形態の構成によれば、カートリッジ１０を容器本体２０に組み込んだ時、案内部材２５が先筒２の後端と回転不能でかつ軸方向に移動可能に結合する。そして、容器本体２０とカートリッジ１０とを相対回転させると、カートリッジ１０後端の回転が案内部材２５に伝達され、次に案内部材２５の回転が溝穴２５ｈに介挿されたリブ２４ｃを介して押出棒２４に伝達される。すると、容器本体２０と螺合する押出棒２４が繰出し、カートリッジ１０内部の芯チャック３および棒状化粧料Ｍが先端側に繰り出す。すなわち、芯チャック３を押圧する機能は棒状部２４ａが行い、案内部材２５と回転不能かつ摺動自在に係合する機能は溝穴２５ｈにリブ２４ｃが介挿することで行うので、結果として、棒状部２４ａにはねじりモーメントがかからないから折れることはない。また、案内部材２５の回転はリブ２４ｃを介して伝達されるから、確実に回転が伝達できる。
【００４４】
なお、この実施の形態では、案内部材２５を繰り出し側に付勢する弾性体として圧縮コイルバネ５２を用いたが、この発明の弾性体は圧縮コイルバネ５２に限定されるものではなく、案内部材２５を繰り出し側に付勢する弾性体であれば、ゴム製の円筒状部材であってもよい。
【００４５】
【発明の効果】
以上本発明によれば、カートリッジを容器本体に組み込んだ時、案内部材が前記先筒の後端と回転不能でかつ軸方向に移動可能に結合する。そして、容器本体とカートリッジとを相対回転させると、カートリッジ後端の回転が案内部材に伝達され、次に案内部材の回転が溝穴に介挿されたリブを介して押出棒に伝達され、容器本体と螺合する押出棒が繰出し、カートリッジ内部の芯チャックおよび、化粧料が繰り出す。すなわち、芯チャックを押圧する機能は棒状部が行い、案内部材と回転不能かつ摺動自在に係合する機能は溝穴にリブが介挿することで行うので、結果として、棒状部にはねじりモーメントがかからないから折れることはない。また、案内部材の回転はリブを介して伝達されるから、確実に回転が伝達できる。
【図面の簡単な説明】
【図１】本発明の一実施の形態にかかるカートリッジ式棒状容器の縦断面図である。
【図２】本発明の一実施の形態の外形図であり、キャップを取り外しカートリッジと容器本体とを分離した状態を示す。
【図３】案内部材の拡大図である。
【図４】押出棒の拡大図である。
【図５】本発明の一実施の形態の縦断面図であり、キャップを取り外し棒状化粧料を外部に繰り出した状態を示す。
【符号の説明】
２…先筒
２ｃ…周溝部
２ｄ…貫通穴
３…芯チャック
３ｂ…当接部
４…尾栓
４ｂ…鍔部
４ｄ…スプライン溝
５…前端キャップ
１０…カートリッジ
２０…容器本体
２１…ライナ
２１ａ…周段部
２２…ライナ
２２ａ…雌ねじ部
２４…押出棒
２４ａ…棒状部
２４ｂ…円筒部（筒部）
２４ｃ…リブ
２４ｄ…雄ねじ部
２４ｅ…側面
２５…案内部材
２５ａ…貫通穴
２５ｃ…結合部
２５ｄ…フランジ部（当接部）
２５ｅ…中軸部
２５ｆ…環状凸部（係止部）
２５ｇ…小径軸部
２５ｈ…溝穴
３１…保持部材
３２…化粧料塗布具
３３…後端キャップ
５１…芯チャック用引きバネ
５２…圧縮コイルバネ（弾性体）
５３…押出棒用押しバネ
Ｍ…棒状化粧料
【図１】
0003852813.tif 000002
【図２】
0003852813.tif 000003
【図３】
0003852813.tif 000004
【図４】
0003852813.tif 000005
【図５】
0003852813.tif 000006